【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
インターネットを介して接続される第１の外部装置から表示データを取得し、取得した表示データを表示する表示手段を備える情報処理装置であって、
印刷を禁止する格納先を示す情報を記憶する記憶手段と、
前記表示手段で表示されている表示データに対する印刷指示がなされた場合、前記表示データの格納先を示す情報を取得する第１の取得手段と、
前記第１の取得手段により取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する第１の抑止手段とを有することを特徴とする情報処理装置。
【請求項２】
前記第１の外部装置はウェブサーバであって、前記表示データの格納先を示す情報はＵＲＬであることを特徴とする請求項１に記載の情報処理装置。
【請求項３】
前記表示データの格納先を示す情報に基づいて前記表示データが印刷を抑止する格納先から取得された表示データであるか否かを判定させるために、前記第１の取得手段により取得された前記表示データの格納先を示す情報を第２の外部装置に対して送信する第１の送信手段と、
前記第２の外部装置において前記表示データが印刷を抑止する格納先から取得された表示データと判定された場合、前記表示データの印刷を抑止する要求情報を前記第２の外部装置から受信する第１の受信手段とを更に有し、
前記第１の抑止手段は、前記第１の受信手段により前記表示データの印刷を抑止する要求情報を前記第２の外部装置から受信した場合、前記表示データの印刷を抑止することを特徴とする請求項１又は２に記載の情報処理装置。
【請求項４】
前記表示データの保存指示を検知する検知手段と、
前記検知手段により前記表示データの保存指示を検知した場合、前記第１の外部装置における前記表示データの格納先を示す情報を取得する第２の取得手段と、
前記第２の取得手段により取得された前記表示データの格納先を示す情報に基づいて、前記表示データが印刷を抑止する格納先から取得された表示データであると判定される場合に、前記表示データを識別する情報を保存する保存手段と、
前記表示データの印刷指示がなされた場合、印刷指示がなされた前記表示データを識別する情報と、前記保存手段により保存された前記表示データを識別する情報とを比較することで、前記表示データが印刷を抑止する格納先から取得された表示データであるか否かを判定する判定手段と、
前記判定手段により印刷指示がなされた前記表示データが印刷を抑止する格納先から取得された表示データであると判定された場合に、前記表示データの印刷を抑止する第２の抑止手段とを更に有することを特徴とする請求項１乃至３の何れか１項に記載の情報処理装置。
【請求項５】
前記第１の取得手段で、前記表示データの格納先を示す情報を取得できなかった場合に、前記判定手段は、前記表示データが印刷を抑止する格納先から取得された表示データであるか否かを判定することを特徴とする請求項４に記載の情報処理装置。
【請求項６】
前記表示データを第１の外部装置から取得した場合、前記第１の外部装置における前記表示データの格納先を示す情報を前記表示データに追加する追加手段を更に有し、
前記第１の取得手段は、前記表示データの格納先を示す情報を前記表示データから取得することを特徴とする請求項１乃至５の何れか１項に記載の情報処理装置。
【請求項７】
前記第２の外部装置で、前記表示データが印刷を抑止する格納先から取得された表示データかを判定するかを決定する決定手段を更に有し、
前記決定手段で、前記第２の外部装置で前記表示データが印刷を抑止する格納先から取得された表示データかを判定すると決定した場合に、前記第１の送信手段で、前記第１の取得手段により取得された前記表示データの格納先を示す情報を第２の外部装置に対して送信することを特徴とする請求項３に記載の情報処理装置。
【請求項８】
前記第１の外部装置と第２の外部装置とは別筺体であることを特徴とする請求項１乃至７の何れか１項に記載の情報処理装置。
【請求項９】
表示データを取得する第１の外部装置と、印刷を禁止する格納先を示す情報を記憶する記憶手段を備える第２の外部装置と、前記第１の外部装置から取得した表示データを表示する表示手段を備える情報処理装置がネットワークを介して接続される情報処理システムであって、
前記情報処理装置は、
前記表示手段で表示されている表示データに対する印刷指示がなされた場合、前記表示データの格納先を示す情報を取得する取得手段と、
前記取得手段により取得された前記表示データの格納先を示す情報を前記第２の外部装置に送信する送信手段とを有し、
前記第２の外部装置は、
前記情報処理装置から前記表示データの格納先を示す情報を受信する受信手段と、
前記受信手段で受信した格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止するべく前記情報処理装置に印刷抑止を要求する印刷抑止要求手段とを有することを特徴とする情報処理システム。
【請求項１０】
インターネットを介して接続される第１の外部装置から表示データを取得し、取得した表示データを表示する表示手段と印刷を禁止する格納先を示す情報を記憶する記憶手段とを備える情報処理装置の制御方法であって、
前記情報処理装置が、
前記表示手段で表示されている表示データに対する印刷指示がなされた場合、前記表示データの格納先を示す情報を取得する取得ステップと、
前記取得ステップにより取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する抑止ステップとを有することを特徴とする情報処理装置の制御方法。
【請求項１１】
インターネットを介して接続される第１の外部装置から表示データを取得し、取得した表示データを表示する表示手段を備える情報処理装置の制御方法をコンピュータに実行させるためのプログラムであって、
前記コンピュータを、
印刷を禁止する格納先を示す情報を記憶する記憶手段と、
前記表示手段で表示されている表示データに対する印刷指示がなされた場合、前記表示データの格納先を示す情報を取得する取得手段と、
前記取得手段により取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する抑止手段として機能させるためのプログラム。
【手続補正２】
【補正対象書類名】明細書
【補正対象項目名】発明の名称
【補正方法】変更
【補正の内容】
【発明の名称】情報処理装置、情報処理システム、その制御方法及びプログラム
【手続補正３】
【補正対象書類名】明細書
【補正対象項目名】０００９
【補正方法】変更
【補正の内容】
【０００９】
そこで、本発明の目的は、表示データに対する印刷指示がなされた場合、表示データの格納先を示す情報に従って、取得された表示データの印刷を抑止することを可能とすることにある。
【手続補正４】
【補正対象書類名】明細書
【補正対象項目名】００１０
【補正方法】変更
【補正の内容】
【００１０】
本発明の他の目的は、保存された表示データに対する印刷指示がなされた場合であっても、その表示データの印刷を抑止することを可能とすることにある。
【手続補正５】
【補正対象書類名】明細書
【補正対象項目名】００１１
【補正方法】変更
【補正の内容】
【００１１】
本発明の情報処理装置は、インターネットを介して接続される第１の外部装置から表示データを取得し、取得した表示データを表示する表示手段を備える情報処理装置であって、印刷を禁止する格納先を示す情報を記憶する記憶手段と、前記表示手段で表示されている表示データに対する印刷指示がなされた場合、前記表示データの格納先を示す情報を取得する第１の取得手段と、前記第１の取得手段により取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する第１の抑止手段とを有することを特徴とする。
本発明の情報処理システムは、表示データを取得する第１の外部装置と、印刷を禁止する格納先を示す情報を記憶する記憶手段を備える第２の外部装置と、前記第１の外部装置から取得した表示データを表示する表示手段を備える情報処理装置がネットワークを介して接続される情報処理システムであって、前記情報処理装置は、前記表示手段で表示されている表示データに対する印刷指示がなされた場合、前記表示データの格納先を示す情報を取得する取得手段と、前記取得手段により取得された前記表示データの格納先を示す情報を前記第２の外部装置に送信する送信手段とを有し、前記第２の外部装置は、前記情報処理装置から前記表示データの格納先を示す情報を受信する受信手段と、前記受信手段で受信した格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止するべく前記情報処理装置に印刷抑止を要求する印刷抑止要求手段とを有することを特徴とする。
本発明の情報処理装置の制御方法は、インターネットを介して接続される第１の外部装置から表示データを取得し、取得した表示データを表示する表示手段と印刷を禁止する格納先を示す情報を記憶する記憶手段とを備える情報処理装置の制御方法であって、前記情報処理装置が、前記表示手段で表示されている表示データに対する印刷指示がなされた場合、前記表示データの格納先を示す情報を取得する取得ステップと、前記取得ステップにより取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する抑止ステップとを有することを特徴とする。
本発明のプログラムは、インターネットを介して接続される第１の外部装置から表示データを取得し、取得した表示データを表示する表示手段を備える情報処理装置の制御方法をコンピュータに実行させるためのプログラムであって、前記コンピュータを、印刷を禁止する格納先を示す情報を記憶する記憶手段と、前記表示手段で表示されている表示データに対する印刷指示がなされた場合、前記表示データの格納先を示す情報を取得する取得手段と、前記取得手段により取得された前記表示データの格納先を示す情報と前記記憶手段に記憶されている前記印刷を禁止する格納先を示す情報とに基づいて、前記表示データが印刷を禁止する格納先から取得された表示データであると判定される場合に、前記表示データの印刷を抑止する抑止手段として機能させることを特徴とする。
【手続補正６】
【補正対象書類名】明細書
【補正対象項目名】００１２
【補正方法】変更
【補正の内容】
【００１２】
本発明によれば、表示データに対する印刷指示がなされた場合、表示データの格納先を示す情報に従って、取得された表示データの印刷を抑止することが可能となる。
【手続補正７】
【補正対象書類名】明細書
【補正対象項目名】００１３
【補正方法】変更
【補正の内容】
【００１３】
また本発明によれば、保存された表示データに対する印刷指示がなされた場合であっても、その表示データの印刷を抑止することが可能となる。